【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
マスターデバイスに支持的に係合するスレーブデバイスにおいて、
スレーブデバイスに一体に設けられている一又は二以上のハードウェア構成要素と、
スレーブデバイスに形成されている覆いであって、結合位置にある時にマスターデバイスの少なくとも一部はスレーブデバイスの覆いの内に収容され、マスターデバイスのバックパネルにおける開口部を含む、前記覆いと、
スレーブデバイスに対してマスターデバイスを結合位置に保持するように動作可能な保持機構とを備え、前記保持機構は、
前記覆いに配置されているコネクタであって、マスターデバイスが結合位置にある時にマスターデバイスと前記一又は二以上のハードウェア構成要素との間の通信を行うべく、マスターデバイスと前記一又は二以上のハードウェア構成要素との間に通信インターフェースを確立するように動作可能である、コネクタと、
動かすことが可能なように覆いの中に配置されており、前記開口部に整合した滑動によってマスターデバイスを収容し、前記覆いの内にマスターデバイスを保持するように構成されているそりであって、スレーブデバイスの１つの端辺と、少なくとも部分的には、繋がる２つの端辺とによって形成される外形に対応しており、動かすことが可能なようにスレーブデバイスの覆いの内に配置されている、前記そりとを備え、該そりは、
マスターデバイスを保持するための２つ以上の側面壁と、
該側面壁のうちの１つから伸びているつまみであって、マスターデバイスの保持と前記覆いからの解放とを行うようにスレーブデバイスに取り外し可能に接続される留め具を保持する前記つまみとを備え、
マスターデバイスは、マスターデバイスが結合位置にある時に、スレーブデバイスの前記一又は二以上のハードウェア構成要素を制御するように動作可能であり、前記一又は二以上のハードウェア構成要素は全機能を実行するためにマスターデバイスとの通信を必要とする、スレーブデバイス。
【請求項２】
保持機構は、マスターデバイスの解放を抑制するように構成されたスレーブデバイスによるマスターデバイスの摩擦係合を含み、保持機構は、マスターデバイスを結合位置に保持すべく、結合位置にある時にマスターデバイスに接触可能な摩擦係合部材を含み、該摩擦係合部材は、弾性材料を含む、請求項１に記載のスレーブデバイス。
【請求項３】
マスターデバイスの少なくとも一つの入力装置は、マスターデバイスが結合位置にある時にスレーブデバイスの外部に露出している、請求項１に記載のスレーブデバイス。
【請求項４】
スレーブデバイスは前記一又は二以上のハードウェア構成要素の全機能を利用するように動作可能なプロセッサを備えていない請求項１に記載のスレーブデバイス。
【請求項５】
携帯用電子機器を結合させるためのシステムにおいて、
マスターデバイスとスレーブデバイスとを含み、
マスターデバイスはプロセッサと、
該プロセッサと動作可能な通信状態にある通信ポートとを備え、
スレーブデバイスは、
スレーブデバイスに形成されている覆いであって、結合位置にある時にマスターデバイスの少なくとも一部はスレーブデバイスの覆いの内に収容され、マスターデバイスのバックパネルにおける開口部を含む、前記覆いと、
スレーブデバイスに一体に設けられた一又は二以上のハードウェア構成要素と、
スレーブデバイスに対してマスターデバイスを結合位置に保持するように動作可能な保持機構であって、結合位置にある時にマスターデバイスの少なくとも一部がスレーブデバイスの覆いの内に収容される保持機構とを備え、前記保持機構は、
スレーブデバイスの前記一又は二以上のハードウェア構成要素との動作可能な通信状態にあるコネクタと、
動かすことが可能なように覆いの中に配置されており、マスターデバイスの前記開口部に整合した滑動によってマスターデバイスを収容し、前記覆いの内にマスターデバイスを保持するように構成されているそりであって、スレーブデバイスの１つの端辺と、少なくとも部分的には、繋がる２つの端辺とによって形成される外形に対応しており、動かすことが可能なようにスレーブデバイスの覆いの内に配置されている、前記そりとを備え、該そりは、
マスターデバイスを保持するための２つ以上の側面壁と、
該側面壁のうちの１つから伸びているつまみであって、マスターデバイスの保持と前記覆いからの解放とを行うようにスレーブデバイスに取り外し可能に接続される留め具を保持する前記つまみとを備え、
コネクタは、マスターデバイスが結合位置にある時に前記プロセッサと前記一又は二以上のハードウェア構成要素との通信を行うべく、マスターデバイスの通信ポートとの通信インターフェースを確立するように動作可能であり、
前記プロセッサは、マスターデバイスが結合位置にある時に、前記一又は二以上のハードウェア構成要素を制御するように動作可能であり、前記一又は二以上のハードウェア構成要素は全機能を実行すべく前記プロセッサとの通信を必要とし、
スレーブデバイスはタブレット機器を含み、マスターデバイスはハンドヘルド機器を含み、
保持機構はマスターデバイスを結合位置から選択的に解放するように動作可能であり、
保持機構は少なくとも一つの係合部材を含み、該係合部材は、マスターデバイスを結合位置に安定に保持すべく、マスターデバイスが結合位置にある時にマスターデバイスの対応する形状の係合部と組合いによって係合可能であり、
前記少なくとも一つの係合部材は、マスターデバイスを選択的に解放すべく、前記係合部との組合いによる係合から変位可能であり、
マスターデバイスの係合部は、マスターデバイスのハウジングによって少なくとも部分的には形成される外形を含む、システム。
【請求項６】
保持機構は、マスターデバイスの解放を抑制するように構成されたスレーブデバイスによるマスターデバイスの摩擦係合を含み、保持機構は、マスターデバイスを結合位置に保持すべく、結合位置にある時にマスターデバイスに接触可能な摩擦係合部材を含み、該摩
擦係合部材は、弾性材料を含む、請求項５に記載のシステム。
【請求項７】
マスターデバイスの少なくとも一つの入力装置は、マスターデバイスが結合位置にある時にスレーブデバイスの外部に露出している、請求項５に記載のシステム。
【請求項８】
スレーブデバイスは無線モデムを備えていない請求項５に記載のシステム。
【請求項９】
携帯用電子機器を結合させるための方法において、
スレーブデバイスに対してマスターデバイスを結合位置に配置する工程と、
マスターデバイスのバックパネルにおける開口部に整合した状態でマスターデバイスを滑動させる工程と、
前記開口部を含む覆いの内にマスターデバイスを保持するように構成されているそりを係合させる工程であって、該そりは、スレーブデバイスの１つの端辺と、少なくとも部分的には、繋がる２つの端辺とによって形成される外形に対応しており、動かすことが可能なようにスレーブデバイスの覆いの内に配置され、マスターデバイスを保持するための２つ以上の側面壁と、該側面壁のうちの１つから伸びているつまみであって、マスターデバイスの保持と前記覆いからの解放とを行うようにスレーブデバイスに取り外し可能に接続される留め具を保持する前記つまみとを備える、前記工程と、
前記そりを用いて、スレーブデバイスに対してマスターデバイスを保持する工程と、
前記配置の際、マスターデバイスの通信ポートを、前記そりに対して配置されたスレーブデバイスのコネクタに接続する工程と、
スレーブデバイスとマスターデバイスとの間でデータの通信を行う工程と、
マスターデバイスを用いて、スレーブデバイスの一又は二以上のハードウェア構成要素を制御する工程と、を備え、
前記そりはマスターデバイスを結合位置から選択的に解放するように動作可能であり、
前記そりは少なくとも一つの係合部材を含み、該係合部材は、マスターデバイスを結合位置に安定に保持すべく、マスターデバイスが結合位置にある時にマスターデバイスの対応する形状の係合部と組合いによって係合可能であり、
前記少なくとも一つの係合部材は、マスターデバイスを選択的に解放すべく、前記係合部との組合いによる係合から変位可能であり、
マスターデバイスの係合部は、マスターデバイスのハウジングによって少なくとも部分的には形成される外形を含む、方法。
【請求項１０】
前記接続はマスターデバイスの動作中に行われ、前記通信及び前記制御は、マスターデバイスの動作を中断することなく行われる請求項９に記載の方法。